(57)【特許請求の範囲】
【請求項１】
印字データを印字するための印字装置であって、
上記印字データのうち、所定の印字データを、第１の印字方向で印字シートに印刷させ、当該印字シート内に、異なる時間に発生した複数のイベントのそれぞれに関する印字データであるイベントデータを、イベントの発生時間の新しい順に、上記第１の印字方向とは逆向きの第２の印字方向で順次印刷させる印字制御手段、
を備えることを特徴とする印字装置。
【請求項２】
印字データを印字するための印字装置であって、
第１の印字モードが設定されている場合には、異なる時間に発生した複数のイベントのそれぞれに関する印字データであるイベントデータを、イベントの発生時間の古い順に、第１の印字方向で順次印刷させ、
第２の印字モードが設定されている場合には、上記イベントデータを、イベントの発生時間の新しい順に、上記第１の印字方向とは逆向きの第２の印字方向で順次印刷させる印字制御手段、
を備えることを特徴とする印字装置。
【請求項３】
上記印字制御手段は、
上記印字データのうち、所定の印字データを、上記第１の印字モードが設定されている場合と、上記第２の印字モードが設定されている場合とで、同じ印字方向で印字させること、
を特徴とする請求項２に記載の印字装置。
【請求項４】
上記印字制御手段は、
上記印字データを、その属性毎に印字させること、
を特徴とする請求項１〜３のいずれか一つに記載の印字装置。
【発明の詳細な説明】
【０００１】
【発明の属する技術分野】
本発明は、防止受信盤等において火災検知状況に関する各種の印字データ等を印字する印字装置に関し、特に、印字データの印字順序に特徴を有する印字装置に関する。
【０００２】
【従来の技術】
今日では、各種の印字データを印字するための印字装置が、様々な分野において広く利用されている。例えば、火災を検知するための火災検知器からの信号を監視等する防災受信盤にも、印字装置が設けられている。このような印字装置は、表示装置とは異なり、印字データを任意の場所で恒久的に確認することができるという利点を有する。
【０００３】
このような印字装置は、第１のモード（以下、逐次印字モード）と、第２のモード（以下、履歴印字モード）の２つの印字モードを切り替えて使用可能なように構成されることが多い。
このうち、逐次印字モードとは、火災発生や火災検知器の異常発生等の各種のイベントが発生すると、このイベントに関する印字データを即時に印字するモードである。
また、履歴印字モードとは、上記印字データを記録部に記録しておき、印字が指示された場合に、この記録部に記録された印字データを複数連続して印字するモードである。この履歴印字モードによれば、複数のイベントの内容を任意のタイミングで容易に確認することができる。
【０００４】
ここで、従来の履歴印字モードにおいては、複数の印字データを古い順に印字していた。このような従来の履歴印字モードにおける印字例を図５に示す。この図５において、印字部１００から繰り出された印字シート１００ａには、開始データＫＤ、イベントデータＩＤ１〜ＩＤｎ、および、終了データＳＤの３種類の印字データが印字されている。
このうち、開始データＫＤは履歴印字が開始された旨やその時間等を含んだデータであり、イベントデータＩＤ１〜ＩＤｎは各種のイベントの内容やその時間を含んだデータであり、終了データＳＤは履歴印字が終了した旨やその時間を含んだデータである。
そして、この図５に示すように、イベントデータＩＤ１〜ＩＤｎは、繰り出し方向に沿った印字方向（印字部３に正対した状態において正常に読み取れる方向。以下、第１の印字方向）Ｄ１で、古いイベントデータＩＤ１から新しいイベントデータＩＤｎに至る順に印字されていた。
【０００５】
【発明が解決しようとする課題】
しかしながら、従来のこのような履歴印字モードにおける印字順序では、複数のイベントデータＩＤ１〜ＩＤｎが古い順に印字されるため、通常必要とされている最新のイベントデータＩＤｎが印字されるまでに時間を要していた。特に、履歴印字モードにおいては、イベントデータＩＤ１〜ＩＤｎの数が多いほど履歴を詳細に把握することができて好ましいが、イベントデータＩＤ１〜ＩＤｎの数が増える程、最新のイベントデータＩＤｎが印字されるまでに長時間を要するという不具合が生じるため、イベントデータＩＤ１〜ＩＤｎの数を抑えざるをえない場合があった。
【０００６】
本発明は上記問題に鑑みてなされたもので、履歴印字モードにおける印字順序を最適化すること等のできる、印字装置を提供することを目的とする。
【０００７】
【課題を解決するための手段】
このような目的を達成するため、請求項１に記載の印字装置は、印字データを印字するための印字装置であって、上記印字データのうち、所定の印字データを、第１の印字方向で印字シートに印刷させ、当該印字シート内に、異なる時間に発生した複数のイベントのそれぞれに関する印字データであるイベントデータを、イベントの発生時間の新しい順に、上記第１の印字方向とは逆向きの第２の印字方向で順次印刷させる印字制御手段を備えることを特徴とする。
【０００８】
この装置によれば、新しい印字データから順に印字されるので、必要な印字データを短時間で見ることができる。また、新しい印字データから順に印字されるので、必要な印字データが印字された後に印字を中止することにより、印字時間や印字シートを節約することができる。
【０００９】
また、請求項２に記載の印字装置は、印字データを印字するための印字装置であって、第１の印字モードが設定されている場合には、異なる時間に発生した複数のイベントのそれぞれに関する印字データであるイベントデータを、イベントの発生時間の古い順に、第１の印字方向で順次印刷させ、第２の印字モードが設定されている場合には、上記イベントデータを、イベントの発生時間の新しい順に、上記第１の印字方向とは逆向きの第２の印字方向で順次印刷させる印字制御手段を備えることを特徴とする。
【００１０】
この装置によれば、第１の印字モードによる印字と第２の印字モードによる印字とが混在したような場合でも、両者における印字データの印字方向が異なることから、両者を容易に識別することができる。
【００１１】
また、請求項３に記載の印字装置は、請求項２に記載の印字装置において、上記印字制御手段は、上記印字データのうち、所定の印字データを、上記第１の印字モードが設定されている場合と、上記第２の印字モードが設定されている場合とで、同じ印字方向で印字させることを特徴とする。
【００１２】
この装置によれば、開始データや終了データ等を第１の印字方向で印字することができ、印字シートが繰り出された状態で、印字モードの内容やその日時等を容易に把握することができる。
また、第２のモードで印字した印字シートを切り取って報告書に添付等する際に、印字順序と印字方向とを、第１のモードで印字した印字シートと同様の状態にすることができ、印字シートの管理や読み取り等が容易になる。
【００１３】
また、請求項４に記載の印字装置は、請求項１〜３のいずれか一つに記載の印字装置において、上記印字制御手段は、上記印字データを、その属性毎に印字させることを特徴とする。
【００１４】
この装置によれば、印字データがその属性毎に印字されるので、特定の内容についての印字データを集中的に読み取ることができ、印字データを一層容易に把握することができる。
【００１５】
【発明の実施の形態】
以下に、本発明にかかる印字装置の実施の形態を図面に基づいて詳細に説明する。この実施の形態においては、本装置を、火災を検知するための火災検知器からの信号を監視等する防災受信盤に一体に設けた例について説明する。なお、この実施の形態により本発明が限定されるものではない。
【００１６】
（印字の概要）
まず、本装置による印字の概要について説明する。本装置では、従来と同様に、逐次印字モードと、履歴印字モードとの２種の印字モードを切り替えて使用することができる。具体的には、通常時は逐次印字モードに設定され、所定の操作が行われた場合に履歴印字モードに切り替えられる。
【００１７】
この履歴印字モードでは、従来と同様に、開始データＫＤ、イベントデータＩＤ、および、終了データＳＤの３種類の印字データが印字される。
このうち、開始データＫＤと終了データＳＤは、従来と同様の印字方向および印字順序で印字される。これに対して、イベントデータＩＤは、従来と逆向きの印字方向（後述する印字部３に正対した状態において読み取り方向が逆向きになる方向。以下、第２の印字方向）Ｄ２で、かつ、従来と逆の印字順序で印字する。
【００１８】
（機器構成）
次に、機器の具体的構成について説明する。
図１は、防災受信盤のうち本発明に関連する部分の構成例を示すブロック図である。この図１に示すように、防災受信盤１は、操作部２、印字部３、入出力インターフェース（以下、入出力ＩＦ）４、記憶部５、および、制御部６を備えて構成されている。
【００１９】
このうち、操作部２は、防災受信盤１に対する各種の操作を行うための入力手段であり、特に、履歴印字スイッチ２ａと、印字中止スイッチ２ｂとを備えて構成されている。履歴印字スイッチ２ａは、履歴印字モードによる印字を指示するための履歴印字指示手段である。また、印字中止スイッチ２ｂは、印字の中止を指示するための印字中止指示手段である。
【００２０】
また、印字部３は、後述する印字制御部６ａの制御下において、逐次印字および履歴印字を行う印字手段である。この印字部３は、印字制御部６ａの制御に基づいて、印字方向を、上記第１の印字方向Ｄ１と上記第２の印字方向Ｄ２とに相互に切り替える機能を備えている。この印字部３の具体的な構成は任意であり、例えば、ラインサーマルプリンタを用いることができる。
また、入出力ＩＦ４は、操作部２および印字部３と、任意の場所に設定された火災検知器１０とに対する入出力データの授受を行う。
【００２１】
また、記憶部５は、防災受信盤１の制御に必要な各種のプログラムやデータを揮発的または不揮発的に記憶する記憶手段である。特に、記憶部５には、イベントデータＩＤが記憶されている。
また、制御部６は、防災受信盤１の各部を制御する制御手段である。この制御部６には、機能概念的に、印字制御部６ａが設けられている。この印字制御部６ａは、概略的に、異なる時間に発生した複数のイベントのそれぞれに関するイベントデータＩＤを、イベントの発生時間の新しい順に、順次印刷させる印字制御手段である。この印字制御部６ａによる制御内容の詳細については後述する。
【００２２】
（処理の内容−逐次印字処理）
次に、処理の内容について説明する。なお、印字部３における印字方向は、デフォルトとして第１の印字方向Ｄ１に設定されている。
まず、最初に逐次印字処理について説明する。上述したように、通常は逐次印字モードに設定されている。この逐次印字モードにおいて、制御部６は、火災検知器からの火災発生信号を監視し、また、火災検知器の機能試験を定期的に実施するための制御を行っている。
【００２３】
そして、火災発生や異常発生等の各種のイベントが発生した場合、制御部６は、このイベントに対して必要な対応を取るための所定の制御を行うと共に、このイベントに関するイベントデータＩＤを記憶部５に記憶させ、さらに、印字制御部６ａに逐次印字の開始を指示する。なお、この際、記憶部５におけるイベントデータＩＤは、イベント発生時の時系列に沿って記憶される。
【００２４】
この印字制御部６ａは、任意の方法にてその時点の日時を取得すると共に、この日時を含んだ開始データＫＤを生成し、この開始データＫＤと記憶部５から呼び出したイベントデータＩＤとを印字部３に出力して、印字命令を出力する。この結果、印字部３において、開始データＫＤとイベントデータＩＤとが第１の印字方向Ｄ１にて印字される。この印字例を図３に示す。この図３において、印字部３からは印字シート３ａが繰り出されており、この印字シート３ａには、開始データＫＤとイベントデータＩＤとが第１の印字方向Ｄ１にて印字されている。そして、管理者は、この印字シート３ａを任意のタイミングで見ることによって、イベントが発生した旨やその内容を把握することができ、また、この印字シート３ａを切り取って任意の方法で保存しておくことができる。
【００２５】
（処理の内容−履歴印字処理）
次に、履歴印字処理の内容について説明する。上述したように、管理者が履歴印字スイッチ２ａを押し下げると、履歴印字モードが設定される。この履歴印字モードにおいて、制御部６は、印字制御部６ａに履歴印字の開始を指示する。
【００２６】
この印字制御部６ａは、履歴印字処理による履歴印字を開始する。この処理のフローチャートを図２に示す。また、この処理による印字例を図４に示す。
図２に示すように、印字制御部６ａは、上記と同様に開始データＫＤを生成して、この開始データＫＤを印字部３に出力して、印字命令を出力する（ステップＳ−１）。この結果、図４に示すように、開始データＫＤが第１の印字方向Ｄ１にて印字される。
【００２７】
次に、図２に示すように、印字制御部６ａは、印字部３における印字方向を切り替えるための印字方向切替指令命令を、印字部３に出力する（ステップＳ−２）。この結果、印字部３における印字方向が第２の印字方向Ｄ２に切り替えられる。
その後、印字制御部６ａは、記憶部５に記憶されている全てのイベントデータＩＤのうち、新しいイベントデータＩＤｎから古いイベントデータＩＤ１の順に、順次呼び出して、印字部３に出力する（ステップＳ−３、Ｓ−４）。そして、この印字部３は、自己に入力されたイベントデータＩＤｎ〜ＩＤ１を順次印刷する。この結果、図４に示すように、イベントデータＩＤｎ〜ＩＤ１が第２の印字方向Ｄ２にて新しい順に印字される。
【００２８】
再び図２において、全てのイベントデータＩＤｎ〜ＩＤ１の出力を終えた後、印字制御部６ａは、再び、印字方向切替指令命令を印字部３に出力する（ステップＳ−５）。この結果、印字部３における印字方向が、元の第１の印字方向Ｄ１に切り替えられる
そして、印字制御部６ａは、任意の方法にてその時点の日時を取得すると共に、この日時を含んだ終了データＳＤを生成し、この終了データＳＤを印字部３に出力して、印字命令を出力する（ステップＳ−６）。この結果、図４に示すように、終了データＳＤが第１の印字方向Ｄ１にて印字される。
【００２９】
これにて履歴印字処理が終了し、再び、逐次印字モードに自動的に切り替えられる。
なお、上記履歴印字処理の途中の任意のタイミングにおいて、管理者が印字中止スイッチ２ｂを押し下げた場合や、所定の割り込みイベントが発生した場合には、印字制御部６ａは印字部３における印字を即座に中止する。
【００３０】
このような履歴印字処理は、概略的に、下記のような利点を有する。
まず、新しいイベントデータＩＤｎから順に印字されるので、管理者は、必要なイベントデータＩＤｎを短時間で見ることができる。
また、新しいイベントデータＩＤｎから順に印字されるので、必要なイベントデータＩＤｎが印字された後に上記のように印字を中止することにより、印字時間や印字シート３ａを節約することができる。
また、逐次印字処理と履歴印字処理が混在したような場合でも、両者におけるイベントデータＩＤの印字方向が異なることから、両者を容易に識別することができる。
【００３１】
さらに、図３、４から明らかなように、開始データＫＤおよび終了データＳＤについては、第１の印字方向Ｄ１で印字されるので、管理者は、印字シート３ａが繰り出された状態で、印字モードの内容やその日時等を容易に把握することができる。
ここで、履歴印字処理において、個々のイベントデータＩＤを、新しい順に印字することに加えて、第１の印字方向Ｄ１で印字することも考えられる。この場合には、管理者が、印字シート３ａが繰り出された状態で、イベントデータＩＤの内容を一層読み取り易くなる。
【００３２】
ただし、図４のようにイベントデータＩＤを第２の印字方向Ｄ２で印字することにより、印字シート３ａを切り取って報告書に添付等する際に、図４とは上下逆向きに添付等することにより、印字順序と印字方向とを逐次印字処理の印字シート３ａと同様の状態にすることができ（古いイベントデータＩＤ１が手前側にあり、かつ、正常な読み取る方向にある状態）、印字シート３ａの管理や読み取り等が容易になる。
【００３３】
さて、これまで本発明の実施の形態について説明したが、本発明は、上述した実施の形態以外にも、上記特許請求の範囲に記載した技術的思想の範囲内において種々の異なる実施の形態にて実施されてよいものである。
例えば、本印刷装置は、任意の印字データを印字するために使用することができ、また、防災受信盤１等に組み込まれることなく、独立した印刷装置として構成することができる。この場合、印字装置は、例えば、履歴印字スイッチ２ａ、印字中止スイッチ２ｂ、入出力ＩＦ４、記憶部５、印字制御部６ａ、および、印字部３を備えて構成される。
【００３４】
また、上記のように印字データの印字順序を変えることに加えて、印字データの印字形態を、さらに変えることも可能である。
例えば、イベントデータＩＤをその内容に応じて複数の属性毎にグルーピングし、各属性毎にまとめて印字してもよい。例えば、イベントデータＩＤの属性を、火災発生と、火災検知器の異常発生との２つに分け、履歴印字処理においては、最初に、火災発生に関する全てのイベントデータＩＤを、第２の印字方向Ｄ２で新しい順に印字し、次に、火災検知器の異常発生に関する全てのイベントデータＩＤを、第２の印字方向Ｄ２で新しい順に印字してもよい。この場合には、特定の内容についての印字データを集中的に読み取ることができ、印字データを一層容易に把握することができる。
【００３５】
その他、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
また、上記文書中や図面中で示した処理手順、制御手順、具体的名称、各種の登録データや検索条件等のパラメータを含む情報については、特記する場合を除いて任意に変更することができる。
【００３６】
【発明の効果】
以上に説明したように、本発明によれば、新しい印字データから順に印字されるので、必要な印字データを短時間で見ることができる。
また、新しい印字データから順に印字されるので、必要な印字データが印字された後に上記のように印字を中止することにより、印字時間や印字シートを節約することができる。
【００３７】
また、本発明によれば、第１の印字モードによる印字と第２の印字モードによる印字とが混在したような場合でも、両者における印字データの印字方向が異なることから、両者を容易に識別することができる。
【００３８】
また、本発明によれば、開始データや終了データ等を第１の印字方向で印字することができ、印字シートが繰り出された状態で、印字モードの内容やその日時等を容易に把握することができる。
また、第２のモードで印字した印字シートを切り取って報告書に添付等する際に、印字順序と印字方向とを、第１のモードで印字した印字シートと同様の状態にすることができ、印字シートの管理や読み取り等が容易になる。
【００３９】
また、本発明によれば、印字データがその属性毎に印字されるので、特定の内容についての印字データを集中的に読み取ることができ、印字データを一層容易に把握することができる。
【図面の簡単な説明】
【図１】本発明の実施の形態における印字装置を備える防災受信盤の構成例を示すブロック図である。
【図２】履歴印字モードにおける履歴印字処理の一例を示すフローチャートである。
【図３】逐次印字モードにおける印字例を示す図である。
【図４】履歴印字モードにおける印字例を示す図である。
【図５】従来の履歴印字モードにおける印字例を示す図である。
【符号の説明】
１  防災受信盤
２  操作部
２ａ  履歴印字スイッチ
２ｂ  印字中止スイッチ
３  印字部
４  入出力ＩＦ
５  記憶部
６  制御部
６ａ  印字制御部
１０  火災検知器
【図１】
0004781520.tif 000002
【図２】
0004781520.tif 000003
【図３】
0004781520.tif 000004
【図４】
0004781520.tif 000005
【図５】
0004781520.tif 000006